(57)【要約】【課題】着用時における弾性伸縮部材の伸長に伴って吸収性本体が肌と密着または接近するようにする。【解決手段】液透過性トップシート１１と液不透過性バックシート１２とその間に介在された吸収体１３を含み、腹側部、股間部、背側部からなる吸収性本体１０と、吸収性本体１０の腹側及び背側のそれぞれの端部において固定され、横方向に吸収性本体１０よりも長い帯状で、横方向に伸ばすと縦方向に収縮する弾性伸縮部材２０，２０と、腹側または背側どちらか一方側の前記弾性伸縮部材２０の左右両端部に固定された止着手段２と、 他方側に配置され、前記止着手段と連結できる連結手段とを備える。【選択図】図１
2008113685.tif 000002
【特許請求の範囲】
【請求項１】
液透過性トップシートと液不透過性バックシートとその間に介在された吸収体を含み、腹側部、股間部、背側部からなる吸収性本体と、
吸収性本体の腹側及び背側のそれぞれの端部において固定され、横方向に吸収性本体よりも長い帯状で、横方向に伸ばすと縦方向に収縮する弾性伸縮部材と、
腹側または背側どちらか一方側の前記弾性伸縮部材の左右両端部に固定された止着手段と、
他方側に配置され、前記止着手段と連結できる連結手段と、
を含むことを特徴とする連結式おむつ。
【請求項２】
液透過性トップシートと液不透過性バックシートとその間に介在された吸収体を含み、腹側部、股間部、背側部からなる吸収性本体と、
吸収性本体の腹側または背側の一方の端部において固定され、横方向に吸収性本体よりも長い帯状で、横方向に伸ばすと縦方向に収縮する弾性伸縮部材と、
前記弾性伸縮部材の左右両端部に固定された止着手段と、
前記吸収性本体の前記弾性伸縮部材を備えない側の端部に配置され、前記止着手段と連結できる連結手段と、
を含むことを特徴とする連結式おむつ。
【請求項３】
液透過性トップシートと液不透過性バックシートとその間に介在された吸収体を含み、腹側部、股間部、背側部からなる吸収性本体と、
吸収性本体の腹側及び背側のそれぞれの端部において固定され、横方向に吸収性本体よりも長い帯状で、横方向に伸ばすと縦方向に収縮する弾性伸縮部材と、
前記吸収性本体の裏面側に設けられ、前記各弾性伸縮部材が固定された外装シートと、
前記外装シートの腹側または背側どちらか一方側において、前記外装シートの両側部に固定された止着手段、並びに他方側の端部に配置され、前記止着手段と連結できる連結手段とを備え、
前記止着手段及び前記連結手段は、対応する前記弾性伸縮部材の横方向延長が重なる縦方向位置又はその縦方向近傍位置にあり、
前記弾性伸縮部材は、前記止着手段相互を横方向に離間させたとき、横方向に伸ばされる状態で前記外装シートに対して固定されている、
ことを特徴とする連結式おむつ。
【請求項４】
液透過性トップシートと液不透過性バックシートとその間に介在された吸収体を含み、腹側部、股間部、背側部からなる吸収性本体と、
吸収性本体の背側端部において固定され、横方向に吸収性本体よりも長い帯状で、横方向に伸ばすと縦方向に収縮する弾性伸縮部材と、
前記吸収性本体の裏面側に設けられ、前記弾性伸縮部材が固定された外装シートと、
前記外装シートの背側両側部に固定された止着手段と、
腹側に配置され、前記止着手段と連結できる連結手段とを備え、
前記止着手段は、前記弾性伸縮部材の横方向延長が重なる縦方向位置又はその縦方向近傍位置にあり、
前記弾性伸縮部材は、前記止着手段相互を横方向に離間させたとき、横方向に伸ばされる状態で前記外装シートに対して固定されている、
ことを特徴とする連結式おむつ。
【請求項５】
液透過性トップシートと液不透過性バックシートとその間に介在された吸収体を含み、腹側部、股間部、背側部からなる吸収性本体と、
吸収性本体の腹側端部において固定され、横方向に吸収性本体よりも長い帯状で、横方向に伸ばすと縦方向に収縮する弾性伸縮部材と、
前記吸収性本体の裏面側に設けられ、前記弾性伸縮部材が固定された外装シートと、
前記外装シートの背側両側部に固定された止着手段と、
腹側に配置され、前記止着手段と連結できる連結手段とを備え、
前記止着手段は、前記弾性伸縮部材の横方向延長が重なる縦方向位置又はその縦方向近傍位置にあり、
前記弾性伸縮部材は、前記止着手段相互を横方向に離間させたとき、横方向に伸ばされる状態で前記外装シートに対して固定されている、
ことを特徴とする連結式おむつ。
【発明の詳細な説明】
【技術分野】
【０００１】
本発明は、連結式おむつ、すなわち、接着剤層を有する止着テープ、メカニカルファスニングテープ又はメカニカルファスナー、または留め金などの止着手段を利用し、この止着手段を腹側と連結する連結手段を有する使い捨ておむつに関する。
【背景技術】
【０００２】
いわゆるテープ式（使い捨て）おむつは、パンツ型のおむつが幼児を対象とするものであるのに対し、乳児用を中心に採用されている。テープ式おむつとしては、近年では、粘着テープ式のものに代わって、メカニカルファスニングテープが汎用されている。また、留め金（ホック）式のおむつも知られているが、おむつカバーを中心として採用されているのみで、市販品のおむつ自体としては採用されていない。
いずれにしても、おむつ一般として体液の漏れの多くは脚周りにおいて生じる。その原因のほとんどが、着用時において、吸収体と肌との離間を生じることが原因である。そこで、バリヤーカフスによって、肌との接触を保持し、横漏れを防止する手法が多く採用されているが、吸収体と肌との離間距離が大きい場合には、バリヤーカフスの遠位縁の肌との接触が保てず、漏れの生じる原因となる。
このために、装着者（母親など）は、おむつを装着後に、おむつを吊り上げる（持ち上げる）ようにし、吸収体と肌とが密着するようにしている。
しかし、おむつが股下側にずれ落ちた場合、吸収体と肌との密着性は失われ、その密着性を保持する機能はない。
特許文献１には、パンツ型おむつにおいて、第１連結帯及び第２連結帯によって液吸収性パッドを吊り上げるようにしたものが開示されている。
しかし、このものは本発明の連結式おむつとは異なり、あくまでも予め脇部がウエスト回りに連結されているパンツ型おむつであり、第１連結帯及び第２連結帯は前後方向及び横方向に伸縮性を有するとしても、ウエスト回り方向（横方向）に伸縮する機能は有しない。
【特許文献１】特許第３８１１０８６号
【発明の開示】
【発明が解決しようとする課題】
【０００３】
したがって、本発明の主たる課題は、連結式おむつにおいて、ウエスト部の弾性伸縮部材によりウエストを密着させるとともに、ウエスト部の弾性伸縮部材の伸長に伴って吸収性本体が肌と密着または接近するようになり、しかもおむつが股下側にずれ落ちたとしても吸収性本体を依然として肌と密着または接近する状態に維持することが可能なおむつを提供することにある。
【課題を解決するための手段】
【０００４】
上記課題を解決した本発明は次掲のとおりである。
＜請求項１項記載の発明＞
液透過性トップシートと液不透過性バックシートとその間に介在された吸収体を含み、腹側部、股間部、背側部からなる吸収性本体と、
吸収性本体の腹側及び背側のそれぞれの端部において固定され、横方向に吸収性本体よりも長い帯状で、横方向に伸ばすと縦方向に収縮する弾性伸縮部材と、
腹側または背側どちらか一方側の前記弾性伸縮部材の左右両端部に固定された止着手段と、
他方側に配置され、前記止着手段と連結できる連結手段と、
を含むことを特徴とする連結式おむつ。
【０００５】
（作用効果）
図１及び図２の符号をもって説明すると、吸収性本体１０の腹側及び背側のそれぞれの端部において固定され、横方向に吸収性本体よりも長い帯状で、横方向に伸ばすと縦方向に収縮する弾性伸縮部材２０、２０が固定される。腹側または背側どちらか一方側、図１の例では背側の弾性伸縮部材２０の左右両端部に止着手段２が固定されている。これに対し、他方側に止着手段２と連結できる連結手段が形成または設けられる。たとえば止着手段が接着剤層を有する止着テープであれば、その止着テープが接着される他方側の弾性伸縮部材２０の外面自体、またはその外面に設けられた別のシートの外面が連結手段を構成する。また、止着手段がメカニカルファスニングテープであれば、そのメカニカルファスニングテープと対をなすメカニカルファスニング要素が、他方側の弾性伸縮部材２０の外面、またはその外面に設けられた別のシートの外面に設けられ、これが連結手段を構成する。
かくして、止着手段と連結手段とを連結するに際し、図２に示すように、弾性伸縮部材２０を横方向（図２の左右方向）に伸長させる（伸長方向を符号Ｆ０で示す。）と、弾性伸縮部材２０が縦方向（図２の上下方向）に収縮する（収縮方向を符号Ｆで示す。）。その結果、弾性伸縮部材２０の幅方向の収縮が、図３の矢印Ｆのように、吸収性本体１０の股下部を前後方向に持ち上げる（吊り上げる）ように作用する。また、着用者が座ると胴回りが膨らむことにより、弾性伸縮部材の伸長に伴って、おむつが縦方向に伸張されるため、吸収性本体が股部に引き寄せられ、隙間ができにくいものとなる。
かくして、吸収性本体１０が着用者の肌側に接近または密着するようになり、股下部における横漏れを防止する。また、弾性伸縮部材２０の伸長に伴う復元力が、ウエスト回りを締め付け、前後漏れ防止効果が高いものとなる。
仮に、着用後に着用者の動きなどによって、おむつがずれ落ちたとしても、胴回りの周長は腰部から臀部に下がるに従って大きくなるため、弾性伸縮部材２０は横方向にさらに伸長され、吸収性本体１０の股下部を前後方向にさらに持ち上げる（吊り上げる）ように力が作用するので、吸収性本体１０が着用者の肌側に接近または密着する状態を維持できる。
また、上記形態では、弾性伸縮部材２０を前後に設けたので、前後方向一方に設ける場合に比較して、吸収性本体１０の股下部を前後方向に持ち上げる量が多くなり、吸収性本体１０が着用者の肌側に好適に接近または密着するようになる。
従来、通常のおむつは着用者が座ると足回りに隙間ができやすいが、本発明の構造によれば、着用者が座ると胴回りが膨らむことにより、弾性伸縮部材の伸長に伴って、吸収性本体が股部に引き寄せられ、隙間ができにくい。また、個人差で股間がゆるくなるようにあてた場合でも、止着手段、たとえばテープを引っ張って止着する際に、吸収性本体が股間に引き寄せられるため、股間の緩みで漏れが生じることが少ない。
【０００６】
＜請求項２項記載の発明＞
液透過性トップシートと液不透過性バックシートとその間に介在された吸収体を含み、腹側部、股間部、背側部からなる吸収性本体と、
吸収性本体の腹側または背側の一方の端部において固定され、横方向に吸収性本体よりも長い帯状で、横方向に伸ばすと縦方向に収縮する弾性伸縮部材と、
前記弾性伸縮部材の左右両端部に固定された止着手段と、
前記吸収性本体の前記弾性伸縮部材を備えない側の端部に配置され、前記止着手段と連結できる連結手段と、
を含むことを特徴とする連結式おむつ。
【０００７】
（作用効果）
請求項１の態様においては、吸収性本体の腹側及び背側のそれぞれの端部において弾性伸縮部材を設けたものであるが、吸収性本体の腹側または背側の一方の端部に弾性伸縮部材を設けた場合においても、同様な作用効果を奏することは直ちに推測できよう。
【０００８】
＜請求項３項記載の発明＞
液透過性トップシートと液不透過性バックシートとその間に介在された吸収体を含み、腹側部、股間部、背側部からなる吸収性本体と、
吸収性本体の腹側及び背側のそれぞれの端部において固定され、横方向に吸収性本体よりも長い帯状で、横方向に伸ばすと縦方向に収縮する弾性伸縮部材と、
前記吸収性本体の裏面側に設けられ、前記各弾性伸縮部材が固定された外装シートと、
前記外装シートの腹側または背側どちらか一方側において、前記外装シートの両側部に固定された止着手段、並びに他方側の端部に配置され、前記止着手段と連結できる連結手段とを備え、
前記止着手段及び前記連結手段は、対応する前記弾性伸縮部材の横方向延長が重なる縦方向位置又はその縦方向近傍位置にあり、
前記弾性伸縮部材は、前記止着手段相互を横方向に離間させたとき、横方向に伸ばされる状態で前記外装シートに対して固定されている、
ことを特徴とする連結式おむつ。
【０００９】
（作用効果）
上記各例では、弾性伸縮部材に対して止着手段を設けたものであるが、製品外面の肌触りを向上させる、見栄えをよくするなどの目的で、吸収性本体に対して外装シートを設ける態様においても、上記の機能を発揮させる構造が提供される。
すなわち、図５に示すように、吸収性本体１０の裏面側に外装シート１が設けられ、この外装シート１に各弾性伸縮部材２０、２０が固定される。そして、外装シート１の腹側または背側どちらか一方側（図示例では背側）において、外装シート１の両側部に止着手段２、２が固定され、並びに他方側（図示例では腹側）の端部に配置され、止着手段２と連結できる連結手段とを備える。
そして、止着手段２及び連結手段は、対応する弾性伸縮部材２０の横方向延長が重なる縦方向位置又はその縦方向近傍位置にあり、弾性伸縮部材２０を、止着手段２、２相互を横方向に離間させたとき、横方向に伸ばされる状態で外装シート１に対して固定されている。
かくして、止着手段２、２と連結手段とを連結するに際し、図７に示すように、弾性伸縮部材２０を横方向（図７の紙面を貫く方向）に伸長させると、弾性伸縮部材２０が縦方向（図７の左右方向）に収縮する（収縮方向を符号Ｆで示す。）。その結果、弾性伸縮部材２０の幅方向の収縮が、図７及び図８の矢印Ｆのように、吸収性本体１０の股下部を前後方向に持ち上げる（吊り上げる）ように作用する。
かくして、吸収性本体１０が着用者の肌側に接近または密着するようになり、股下部における横漏れを防止する。また、弾性伸縮部材２０の伸長に伴う復元力が、ウエスト回りを締め付け、前後漏れ防止効果が高いものとなる。
仮に、着用後に着用者の動きなどによって、おむつがずれ落ちたとしても、胴回りの周長は腰部から臀部に下がるに従って大きくなるため、弾性伸縮部材２０は横方向にさらに伸長され、吸収性本体１０の股下部を前後方向にさらに持ち上げる（吊り上げる）ように力が作用するので、吸収性本体１０が着用者の肌側に接近または密着する状態を維持できる。
また、上記形態では、弾性伸縮部材２０を前後に設けたので、前後方向一方に設ける場合に比較して、吸収性本体１０の股下部を前後方向に持ち上げる量が多くなり、吸収性本体１０が着用者の肌側に好適に接近または密着するようになる。
この場合において、図８に示すように、吸収性本体１０と外装シート１とは、全体を接合させないほか、部分的に接合する、あるいは全体を接合するなどの適宜の形態を採ることが可能である。
また、「弾性伸縮部材は、前記止着手段相互を横方向に離間させたとき、横方向に伸ばされる状態で前記外装シートに対して固定されている」形態の第１の例は、弾性伸縮部材２０がその伸長状態で外装シート１に固定される形態を挙げることができる。この形態では、製品状態では弾性伸縮部材２０及び外装シート１が横方向に収縮した状態にあり、止着手段２、２相互を横方向に離間させたとき弾性伸縮部材２０及び外装シート１が収縮した状態から伸長した状態になる。第２の例としては、外装シート１を伸縮性の材料で構成するか、二枚の外装シート２、２間に糸ゴムや弾性伸縮部材を設け、その外装シート部材と弾性伸縮部材２０とを接合するなどの形態を採ることができるものである。
【００１０】
＜請求項４項記載の発明＞
液透過性トップシートと液不透過性バックシートとその間に介在された吸収体を含み、腹側部、股間部、背側部からなる吸収性本体と、
吸収性本体の背側端部において固定され、横方向に吸収性本体よりも長い帯状で、横方向に伸ばすと縦方向に収縮する弾性伸縮部材と、
前記吸収性本体の裏面側に設けられ、前記弾性伸縮部材が固定された外装シートと、
前記外装シートの背側両側部に固定された止着手段と、
腹側に配置され、前記止着手段と連結できる連結手段とを備え、
前記止着手段は、前記弾性伸縮部材の横方向延長が重なる縦方向位置又はその縦方向近傍位置にあり、
前記弾性伸縮部材は、前記止着手段相互を横方向に離間させたとき、横方向に伸ばされる状態で前記外装シートに対して固定されている、
ことを特徴とする連結式おむつ。
【００１１】
＜請求項５項記載の発明＞
液透過性トップシートと液不透過性バックシートとその間に介在された吸収体を含み、腹側部、股間部、背側部からなる吸収性本体と、
吸収性本体の腹側端部において固定され、横方向に吸収性本体よりも長い帯状で、横方向に伸ばすと縦方向に収縮する弾性伸縮部材と、
前記吸収性本体の裏面側に設けられ、前記弾性伸縮部材が固定された外装シートと、
前記外装シートの背側両側部に固定された止着手段と、
腹側に配置され、前記止着手段と連結できる連結手段とを備え、
前記止着手段は、前記弾性伸縮部材の横方向延長が重なる縦方向位置又はその縦方向近傍位置にあり、
前記弾性伸縮部材は、前記止着手段相互を横方向に離間させたとき、横方向に伸ばされる状態で前記外装シートに対して固定されている、
ことを特徴とする連結式おむつ。
【００１２】
（作用効果）
請求項４及び請求項５の態様のように、弾性伸縮部材は背側あるいは腹側の一方のみに設けた場合においても、前述と同様な機能を発揮するものとなる。
【発明の効果】
【００１３】
本発明においては、要すれば、連結式おむつにおいて、止着手段相互を離間させるように弾性伸縮部材を伸長させる、あるいは連結後において、着用者が座ると胴回りが膨らむことによる弾性伸縮部材の伸長に伴って、吸収性本体が股部に引き寄せられ、隙間ができにくいものとなる。そして、弾性伸縮部材の復元力によって、ウエスト回り方向に締め付けて密着させるとともに、装着時に吸収性本体の股下部が肌と密着または接近するようになり、しかもおむつが股下側にずれ落ちたとしても吸収性本体を依然として肌と密着または接近する状態に維持することが可能となる。したがって、ウエスト部分及び股下部からの漏れを防止することができる。
【発明を実施するための最良の形態】
【００１４】
以下本発明をいくつかの実施の形態を挙げて本発明をさらに詳説する。
＜第１の実施の形態＞
図１〜図５は第１の実施の形態を示したものである。図１において、Ｘが横方向、Ｙが前後方向をそれぞれ示し、前後方向Ｙの中間は股下部Ｌとなっている。股下部Ｌは脚周りに該当する前後方向のおむつの中間領域である。
１０は吸収性本体で、表面側から体液を受け入れて保持し裏面側への漏れを防止するものである。
吸収性本体１０の形態は適宜でよいが、たとえば不織布からなかるトップシート１１と、液不透過性のたとえばポリエチレンなどのプラスチックバックシート１２と、それらの間に介在された吸収体１３とを形態を挙げることができる。吸収体１３としては綿状パルプと高吸収性ポリマーとを含むもののほか、綿状パルプ等の短繊維を積繊したものに換えて、フィラメントの集合体からなるもの等も使用できる。フィラメントの集合体は、トウ（繊維束）を開繊することにより得ることができる。トウ構成繊維としては、例えば、多糖類又はその誘導体（セルロース、セルロースエステル、キチン、キトサンなど）、合成高分子（ポリエチレン、ポリプロピレン、ポリアミド、ポリエステル、ポリラクタアミド、ポリビニルアセテートなど）などを用いることができるが、特に、セルロースエステルおよびセルロースが好ましい。
吸収性本体１０には、必要により、バリヤーカフス１４を設けることができる。図示例のバリヤーカフス１４は、自由部先端に糸ゴム１４Ａを設け、使用状態において、自由部を起立させるようにしたものである。
吸収性本体１０の腹側及び背側のそれぞれの端部において、横方向（図１におけるＸ方向）に吸収性本体１０よりも長い帯状で、横方向に伸ばすと縦方向に収縮する弾性伸縮部材２０、２０が固定される。腹側または背側どちらか一方側、図１の例では背側の弾性伸縮部材２０の左右両端部に止着手段２が固定されている。止着手段としては、粘着（接着）テープやメカニカルファスニングテープを挙げることができる。
これに対し、他方側に止着手段２と連結できる連結手段が形成または設けられる。たとえば止着手段が接着剤層を有する止着テープであれば、その止着テープが接着される弾性伸縮部材２０の外面自体、またはその外面に設けられた別のシートの外面が連結手段を構成する。また、止着手段が図示のようにメカニカルファスニングテープ２であれば、そのメカニカルファスニングテープと対をなすメカニカルファスニング要素が、弾性伸縮部材２０の外面、またはその外面に設けられた別のシート２１（図３及び図４参照）の外面に設けられ、これが連結手段を構成する。
【００１５】
さて、かかる連結式おむつにおいて、吸収性本体１０のバックシート１２と弾性伸縮部材２０とがたとえばホットメルト接着剤３１によって接合されることにより、弾性伸縮部材２０、２０は吸収性本体１０の腹側及び背側のそれぞれの端部において固定されている。吸収性本体１０の表面シート１１と弾性伸縮部材２０とを接合することも可能である。
これらの弾性伸縮部材２０、２０と吸収性本体１０との連結固定は、ホットメルト接着剤によるのが望ましいが、それぞれオス要素とメス要素との組み合わせによるメカニカルファスナーにより連結固定することもできる。
かかる形態では、止着手段としての多数のオス要素２Ａを有するメカニカルファスナーテープ２、２を腹側に持ち込み腹側の弾性伸縮部材２０の裏面に対して連結すると、図３に示すように、弾性伸縮部材２０の長手方向の伸長Ｆ０に伴って、弾性伸縮部材２０が縦方向に収縮する。その際、弾性伸縮部材２０と吸収性本体１０の前後方向端部とをそれぞれ連結固定しているので、弾性伸縮部材２０の縦方向の収縮が、図３及び図４の矢印Ｆのように、吸収性本体１０の股下部を前後方向に持ち上げる（吊り上げる）ように作用する。
その結果、吸収性本体１０が着用者の肌側に接近または密着するようになり、股下部における横漏れを防止する。また、弾性伸縮部材２０の伸長に伴う復元力が、ウエスト回りを締め付け、前後漏れ防止効果が高いものとなる。
そして、着用者が座ると胴回りが膨らむことにより、弾性伸縮部材２０の伸長に伴って、吸収性本体１０が股部に引き寄せられ、隙間ができにくい。また、個人差で股間がゆるくなるようにあてた場合でも、止着手段、たとえばテープを引っ張って止着する際に、吸収性本体が股間に引き寄せられるため、股間の緩みで漏れが生じることが少ない。
仮に、着用後に着用者の動きなどによって、おむつがずれ落ちたとしても、胴回りの周長は腰部から臀部に下がるに従って大きくなるため、弾性伸縮部材２０は横方向にさらに伸長され、吸収性本体１０の股下部を前後方向にさらに持ち上げる（吊り上げる）ように力が作用するので、吸収性本体１０が着用者の肌側に接近または密着する状態を維持できる。
【００１６】
＜第２の実施の形態＞
図５〜図８は第２の実施の形態を示したものである。図１において、Ｘが横方向、Ｙが前後方向をそれぞれ示し、前後方向Ｙの中間は股下部Ｌとなっている。股下部Ｌは脚周りに該当する前後方向のおむつの中間領域である。
１は裏面側に位置する、たとえば２枚の不織布からなる外装シートであり、その外装シート１の背側両側に止着手段、実施の形態では多数のオス要素２Ａを有するメカニカルファスナーテープ２、２が、たとえば外装シート１、１の間に固定され、これらのメカニカルファスナーテープ２、２は、腹側に持ち込み外装シート１の腹側に予め設けられたメス要素を有するターゲットテープ３、あるいはターゲットテープ３なしで外装シート１の裏面自体がメス要素を構成する不織布とすることで対象の止着位置とした領域に連結される。したがって、第２の実施の形態では、メカニカルファスナーテープ２、２の関係で、ターゲットテープ３が連結手段を構成している例である。
外装シート１の内面側には、表面側から体液を受け入れて保持し裏面側への漏れを防止する吸収性本体１０が設けられている。
【００１７】
さて、かかる連結式おむつにおいて、本発明においては、背側及び腹側における、前記連結手段による横方向Ｘ締め付け作用領域（連結の結果、前後に締め付け作用領域が生じる）に、伸長時に縦方向に収縮する弾性伸縮部材２０、２０をそれぞれ外装シート１の背側及び腹側において、ホットメルト接着剤３０により横方向Ｘに固定してある。
また、弾性伸縮部材２０、２０と吸収性本体１０の前後方向Ｙ両端部とは、ホットメルト接着剤３１により連結固定してある。
弾性伸縮部材２０、２０の外装シート１への固定、あるいは吸収性本体１０との連結固定は、ホットメルト接着剤３０、３１によるのが望ましいが、それぞれオス要素とメス要素との組み合わせによるメカニカルファスナーにより連結固定することもできる。
さらに、実施の形態では、吸収性本体１０は前記連結固定領域を除く前後方向Ｙ中間領域の実質的に全体が外装シート１０と固定関係にないものとしてある。ただし、吸収性本体１０の前後方向Ｙ中間領域、股下部Ｌの前後方向一部を部分的に固定することを排除するものではない。
かかる形態では、止着手段としてのメカニカルファスナーテープ２、２を腹側に持ち込み外装シート１０の腹側と連結すると、図７に示すように、弾性伸縮部材２０の長手方向の伸長Ｆ０に伴って、弾性伸縮部材２０が縦方向に収縮する。その際、弾性伸縮部材２０と吸収性本体１０の前後方向端部とをそれぞれ連結固定しているので、しかも、吸収性本体１０は前記連結固定領域を除く前後方向中間領域の実質的に全体が外装シート１と固定関係にないので、弾性伸縮部材２０の幅方向の収縮が、図７及び図８の矢印Ｆのように、吸収性本体１０の股下部を前後方向に持ち上げる（吊り上げる）ように作用する。
その結果、図８に示すように（図８においては、吸収性本体１０を概括的に図示してある。）、吸収性本体１０が着用者の肌側に接近または密着するようになり、股下部Ｌにおける横漏れを防止する。また、弾性伸縮部材２０の伸長に伴う復元力が、ウエスト回りを締め付け、前後漏れ防止効果が高いものとなる。
仮に、着用後に着用者の動きなどによって、おむつがずれ落ちたとしても、胴回りの周長は腰部から臀部に下がるに従って大きくなるため、弾性伸縮部材２０は横方向にさらに伸長され、吸収性本体１０の股下部を前後方向にさらに持ち上げる（吊り上げる）ように力が作用するので、吸収性本体１０が着用者の肌側に接近または密着する状態を維持できる。
【００１８】
＜第３及び第４の実施の形態＞
図９には、図５の第２の形態を概念的に図示し、位置関係を判り易くしたものである。
図９の図示法に準じて図示した図１０に示すように、背側及び腹側における弾性伸縮部材２０、２０の形状を異なるものとすることができる。
図１０の例では、腹側における弾性伸縮部材２０の幅を背側における前記弾性伸縮部材２０の幅より幅狭く、かつ短くし、腹への過度の圧迫を可能な限り防止したものである。
図１１の例では、逆に、腹側における弾性伸縮部材２０の幅が背側における弾性伸縮部材２０の幅より幅広とし、乳児の腹は太鼓状であり、腹側においてずれ落ち易いことに鑑み、前後方向に持ち上げる量を多くするようにしたものである。
背側及び腹側における弾性伸縮部材の形状が異ならせることができる。乳児の腹は太鼓状であり、腹側においてずれ落ち易いので前後方向に持ち上げる量を多くする、他方で過度の圧迫は可能な限り防止したい等の観点から、弾性伸縮部材相互の形状を異ならせることができる。背側弾性部材を大きくする場合、連結手段に連動して効果的に持上げることができる。
腹側における前記弾性伸縮部材の幅が背側における前記弾性伸縮部材の幅より幅広とすることにより、腹側での前後方向に持ち上げる量を大きくすることができ、腹側においてずれ落ち易い乳児の場合においても、着用者の肌と吸収性本体との離間を防止できる。
【００１９】
＜第５及び第６の実施の形態＞
図１２及び図１３に示すように、背側及び腹側のうち一方に弾性伸縮部材２０を設けることもできる。
【００２０】
＜第７の実施の形態＞
上記の弾性伸縮部材２０としては、ゴムシート、弾性発泡シート、弾性フィルム、伸縮性不織布シートが用いられる。また、図１４に示すように、基材シート２０Ａ、２０Ｂの間に、あるいはその基材シートの一方に、多数の糸ゴムなどの糸状弾性伸縮部体２０Ｃを斜め格子状（角度に限定はない）に配置し、これらの糸状弾性伸縮部体２０Ｃ、２０Ｃ…群により横方向の弾性伸縮部材２０を構成することもできる。
他方、図５に示すように、弾性伸縮部材２０を使用面側を覆うようにして不織布などの覆いシート１Ａによって覆うことができる。必要ならば、外装シート１のうち裏面側シートを延在させて前後方向縁を回り込んで覆うことによって、覆いシート１Ａを形成することもできる。
さらに、第１の実施の形態において、吸収性本体１０のバックシート１２の裏面側に肌触りを向上させる不織布シートなどを設けることもできる。
【図面の簡単な説明】
【００２１】
【図１】第１の実施の形態に係る連結式おむつの平面図である。
【図２】弾性伸縮部材の伸縮及び幅方向の収縮形態に説明図である。
【図３】図１の縦方向端部における概要縦断面図である。
【図４】弾性伸縮部材の収縮状態の紙おむつの概要縦断面図である。
【図５】第２の実施の形態に係る連結式おむつの平面図である。
【図６】図５の６−６線矢視図である。
【図７】弾性伸縮部材の伸縮及び幅方向の収縮形態に説明図である。
【図８】図５の着用状態の８−８線矢視図である。
【図９】図１の形態を概念的に図示した説明図である。
【図１０】他の形態の説明図である。
【図１１】他の形態の説明図である。
【図１２】他の形態の説明図である。
【図１３】他の形態の説明図である。
【図１４】他の弾性伸縮部材の斜視図である。
【符号の説明】
【００２２】
１…外装シート、２…メカニカルファスナーテープ、３…ターゲットテープ、１０…吸収性本体、２０…弾性伸縮部材、３０、３１…ホットメルト接着剤。
【図１】
2008113685.tif 000003
【図２】
2008113685.tif 000004
【図３】
2008113685.tif 000005
【図４】
2008113685.tif 000006
【図５】
2008113685.tif 000007
【図６】
2008113685.tif 000008
【図７】
2008113685.tif 000009
【図８】
2008113685.tif 000010
【図９】
2008113685.tif 000011
【図１０】
2008113685.tif 000012
【図１１】
2008113685.tif 000013
【図１２】
2008113685.tif 000014
【図１３】
2008113685.tif 000015
【図１４】
2008113685.tif 000016